(57)【特許請求の範囲】
【請求項１】
排水処理装置において液体の移送に利用される移送パイプであって、
液体が流れる流路を形成するパイプ部と、
前記パイプ部に固定されたフランジと、
前記パイプ部の外周面に形成されたネジ部であって、前記フランジと、前記ネジ部にねじ込まれたナットとによって前記移送パイプとは異なる他の部材を挟み込むことによって前記移送パイプと前記他の部材とを互いに固定するためのネジ部と、
前記液体の液面に対して前記液体の液位の高さの基準を示す基準部と、
前記パイプ部に形成された堰であって、前記堰の一方側から他方側へ前記液体が流れる開いた部分である流出部を有する堰と、
を備え、
前記基準部は、前記液位の高さの第１基準を示す面および辺の少なくとも一方を含む立体的な形状の部分を含む第１基準部と、前記第１の基準部よりも低い位置に形成され、前記第１基準よりも低い前記液位の高さの第２基準を示す面および辺の少なくとも一方を含む立体的な形状の部分を含む第２基準部と、の２つの基準部であって、前記堰の前記流出部を流れる前記液体の液面と接し得る位置に、上方から見た場合に少なくとも一部が互いに重ならないように配置されている、前記第１基準部と前記第２基準部とを含む、
移送パイプ。
【請求項２】
請求項１に記載の移送パイプであって、
前記堰は、前記流路の下方の一部分を堰き止めるとともに、上端面を含む第１段部と、前記上端面よりも低い位置にある上面を有する第２段部と、を含み、
前記第１基準部は、前記第１基準を示す前記面としての前記第１段部の前記上端面を含み、
前記第２基準部は、前記第２基準を示す前記面としての前記第２段部の前記上面を含む、
移送パイプ。
【請求項３】
請求項１または２に記載の移送パイプであって、
前記堰は、前記流路と交差する板状部である、
移送パイプ。
【請求項４】
請求項１から３のいずれか１項に記載の移送パイプであって、
前記基準部は、前記パイプ部の端部に設けられており、
前記第１基準部と前記第２基準部は、上方から観察する場合に、前記パイプ部の前記端部のうち前記第１基準部と前記第２基準部よりも上側の部分と比べて、前記パイプ部の延びる方向に沿って前記パイプ部から離れる方向に突出した位置に形成されている、
移送パイプ。
【請求項５】
排水処理装置であって、
第１壁を含む壁によって囲まれた第１処理槽と、第２壁を含む壁によって囲まれた第２処理槽とを含む複数の処理槽と、
前記第１処理槽で処理された水を前記第１処理槽から前記第２処理槽へ移送させる、請求項１から４のいずれか１項に記載の移送パイプと、
前記移送パイプの前記ネジ部にねじ込まれたナットと、
を備え、
前記移送パイプと、前記第１壁と、前記第２壁とは、前記第１壁と前記第２壁とを含む複数の部材を前記ナットと前記移送パイプの前記フランジとによって挟み込むことによって、互いに固定されている、
排水処理装置。
【発明の詳細な説明】
【技術分野】
【０００１】
本発明は、移送パイプ、および、排水処理装置に関するものである。
【背景技術】
【０００２】
従来から、排水処理装置では、液体を移送するために、種々の部材が利用されている。例えば、液体の移送パイプを壁に固定するために、フランジ部とネジ部とを有するソケットが利用されている。また、ユーザが液体の単位時間当たりの移送量（以下、単に「移送量」と呼ぶ）を確認するために、三角樋といった計量樋が利用されている。
【先行技術文献】
【特許文献】
【０００３】
【特許文献１】特開２００８−４３８８８号公報
【発明の概要】
【発明が解決しようとする課題】
【０００４】
ところで、排水処理装置において、液体の移送と移送量の確認とを行う場合には、そのための構成が排水処理装置内において占めるスペースが大きい場合が多かった。例えば、継手部材を用いてパイプの途中に計量樋を設ける場合には、継手部材と計量樋とのためのスペースが大きいので、狭い場所で移送量を確認することが困難であった。
【０００５】
本発明の主な利点は、液体の移送と移送量の確認とを行うための構成の配置に要するスペースを低減できる技術を提供することである。
【課題を解決するための手段】
【０００６】
本発明は、上述の課題の少なくとも一部を解決するためになされたものであり、以下の形態又は適用例として実現することが可能である。
［形態］
排水処理装置において液体の移送に利用される移送パイプであって、
液体が流れる流路を形成するパイプ部と、
前記パイプ部に固定されたフランジと、
前記パイプ部の外周面に形成されたネジ部であって、前記フランジと、前記ネジ部にねじ込まれたナットとによって前記移送パイプとは異なる他の部材を挟み込むことによって前記移送パイプと前記他の部材とを互いに固定するためのネジ部と、
前記液体の液面に対して前記液体の液位の高さの基準を示す基準部と、
前記パイプ部に形成された堰であって、前記堰の一方側から他方側へ前記液体が流れる開いた部分である流出部を有する堰と、
を備え、
前記基準部は、前記液位の高さの第１基準を示す面および辺の少なくとも一方を含む立体的な形状の部分を含む第１基準部と、前記第１の基準部よりも低い位置に形成され、前記第１基準よりも低い前記液位の高さの第２基準を示す面および辺の少なくとも一方を含む立体的な形状の部分を含む第２基準部と、の２つの基準部であって、前記堰の前記流出部を流れる前記液体の液面と接し得る位置に、上方から見た場合に少なくとも一部が互いに重ならないように配置されている、前記第１基準部と前記第２基準部とを含む、
移送パイプ。
【０００７】
［適用例１］
排水処理装置において液体の移送に利用される移送パイプであって、
液体が流れる流路を形成するパイプ部と、
前記パイプ部に固定されたフランジと、
前記パイプ部の外周面に形成されたネジ部であって、前記フランジと、前記ネジ部にねじ込まれたナットとによって前記移送パイプとは異なる他の部材を挟み込むことによって前記移送パイプと前記他の部材とを互いに固定するためのネジ部と、
前記液体の液面に対して前記液体の液位の高さの基準を示す基準部と、
を備える移送パイプ。
【０００８】
この構成によれば、フランジと、ネジ部にねじ込まれたナットとの間に他の部材を挟み込むことによって、移送パイプと他の部材とを容易に互いに固定することができる。この結果、移送パイプの固定に要するスペースを低減することができる。さらに、この移送パイプを通じて、液体の移送を容易に行うことができる。ここで、この移送パイプは、液体の液面に対して液体の液位の基準を示す基準部を備えている。その結果、別途、計量樋といった計量装置を設けることなく、液面と基準部とを比較することによって、液体の移送量を容易に確認することができる。これらの結果、液体の移送と移送量の確認とを行うための構成の配置に要するスペースを低減できる。
【０００９】
［適用例２］
適用例１に記載の移送パイプであって、さらに、
前記パイプ部に形成された堰であって、前記堰の一方側から他方側へ前記液体が流れる開いた部分である流出部を有する堰を有する、
移送パイプ。
【００１０】
この構成によれば、適切な移送量が少ない場合であっても（例えば、１Ｌ／ｍｉｎ程度）、移送量の変化に対する水面の高さの変化を大きくすることができるので、ユーザは、移送量が適切であるか否かの確認を容易に行うことができる。
【００１１】
［適用例３］
適用例２に記載の移送パイプであって、
前記堰は、前記流路と交差する板状部である、
移送パイプ。
【００１２】
この構成によれば、移送パイプにおける堰の設置に要するスペースが過大となることを避けることができるので、液体の移送と移送量の確認とを行うための構成の配置に要するスペースを低減できる。
【００１３】
［適用例４］
適用例１ないし適用例３のいずれかに記載の移送パイプであって、
前記基準部は、前記液体の液位の高さの基準を示す立体部分を含む、
移送パイプ。
【００１４】
この構成によれば、基準部に対する微生物膜等の付着によって基準が分からなくなる可能性を大幅に低減できる。
【００１５】
［適用例５］
適用例１ないし適用例４のいずれかに記載の移送パイプであって、
前記基準部は、前記パイプ部の端部に設けられており、
前記パイプ部の前記端部の前記基準部よりも上側の部分の少なくとも一部は、前記基準部の上方を覆わないように、前記基準部よりも手前で終わっている、
移送パイプ。
【００１６】
この構成によれば、移送パイプの端部に設けられた基準部を、移送パイプの上方から観察することができるので、液体の移送量の確認が可能な状態を維持しつつ、移送パイプを横から観察することが困難であるような狭い場所に移送パイプを配置することができる。この結果、液体の移送と移送量の確認とを行うための構成の配置に要するスペースを低減できる。
【００１７】
［適用例６］
適用例１ないし適用例５のいずれかに記載の移送パイプであって、
前記基準部は、第１の基準部と、前記第１の基準部よりも低い位置に形成された第２の基準部とを、含む、
移送パイプ。
【００１８】
この構成によれば、第１基準部から第２基準部までの液位の範囲を適正範囲として利用することができるので、液位が適正であるか否かの判断を容易に行うことができる。そして、そのような判断を可能とする構成の配置に要するスペースを低減できる。
【００１９】
［適用例７］
適用例２に従属する場合の適用例６に記載の移送パイプであって、
前記堰は、前記流路の下方の一部分を堰き止めるとともに、上端面を含む第１段部と、前記上端面よりも低い位置にある上面を有する第２段部と、を含み、
前記第１基準部は、前記第１段部の前記上端面を含み、
前記第２基準部は、前記第２段部の前記上面を含む、
移送パイプ。
【００２０】
この構成によれば、堰が、流路の下方の一部分を堰き止めるとともに、第１段部と第２段部と有することによって、第１基準部と第２基準部とが形成される。従って、第１と第２の基準部を形成する堰の大きさが過剰に大きくなることを回避できるので、液体の移送と移送量の確認とを行うための構成の配置に要するスペースを低減できる。
【００２１】
［適用例８］
排水処理装置であって、
第１壁を含む壁によって囲まれた第１処理槽と、第２壁を含む壁によって囲まれた第２処理槽とを含む複数の処理槽と、
前記第１処理槽で処理された水を前記第１処理槽から前記第２処理槽へ移送させる、適用例１ないし適用例７のいずれかに記載の移送パイプと、
前記移送パイプの前記ネジ部にねじ込まれたナットと、
を備え、
前記移送パイプと、前記第１壁と、前記第２壁とは、前記第１壁と前記第２壁とを含む複数の部材を前記ナットと前記移送パイプの前記フランジとによって挟み込むことによって、互いに固定されている、
排水処理装置。
【００２２】
この構成によれば、第１処理槽で処理された水を、移送パイプによって、第１処理槽から第２処理槽へ適切に移送することができ、さらに、水の移送量を容易に確認することができる。さらに、ナットと移送パイプのフランジとによって、移送パイプと第１壁と第２壁とが互いに固定されるので、移送パイプを、第１処理槽と第２処理槽とに対して適切に固定することができる。これらにより、第１処理槽から第２処理槽へ水の移送と、移送量の確認と、を行うための構成の配置に要するスペースを低減できる。
【００２３】
なお、本発明は、種々の形態で実現することが可能であり、例えば、移送パイプ、移送パイプを備える排水処理装置、移送パイプを利用した移送量の調整方法、等の形態で実現することができる。
【図面の簡単な説明】
【００２４】
【図１】本発明の一実施例としての排水処理装置８００の処理フローを示す説明図である。
【図２】排水処理装置８００の内部構成を模式的に表す説明図である。
【図３】排水処理装置８００を下方に向かって見た概略図である。
【図４】排水処理装置８００の下流側の部分を水平に見た概略図である。
【図５】好気濾床槽８３０を斜め上方から見た斜視図である。
【図６】移送パイプ９００とナット９９０との斜視図である。
【図７】移送パイプ９００の説明図である。
【図８】移送パイプ９００の組み付けを表す分解斜視図である。
【図９】組み付けられた移送パイプ９００の近傍を示す断面図である。
【図１０】移送パイプの別の実施例（移送パイプ９００Ａ）を示す斜視図である。
【図１１】移送パイプの別の実施例（移送パイプ９００Ｂ）を示す斜視図である。
【図１２】移送パイプの別の実施例（移送パイプ９００Ｃ）を示す斜視図である。
【図１３】移送パイプの別の実施例（移送パイプ９００Ｄ）を示す斜視図である。
【図１４】移送パイプの別の実施例（移送パイプ９００Ｅ）を示す斜視図である。
【図１５】移送パイプの別の実施例（移送パイプ９００Ｆ）を示す斜視図である。
【発明を実施するための形態】
【００２５】
次に、この発明の実施の形態を、第１実施例と変形例とに基づいて説明する。
【００２６】
Ａ．第１実施例：
図１は、本発明の一実施例としての排水処理装置８００の処理フローを示す説明図である。本実施例の排水処理装置８００は、一般家庭等からの排水の浄化処理を行う装置である（このような装置は「浄化槽」とも呼ばれる）。排水処理装置８００は、複数のステップを経て浄化処理を行うために、複数の水処理槽を有している。図１の実施例では、排水処理装置８００は、上流（図１の左側）から順番に、流入口８０２、沈殿分離槽８１０、嫌気濾床槽８２０、好気濾床槽８３０、処理水槽８４０、消毒槽８５０、流出口８０４を、有している。沈殿分離槽８１０は、沈殿分離部８１５と、汚泥貯留部８１６とを含んでいる。好気濾床槽８３０は、接触曝気部８３１と、生物濾過部８３２とを含んでいる。排水は、流入口８０２から排水処理装置８００に流入する。排水処理装置８００に流入した排水は、沈殿分離槽８１０、嫌気濾床槽８２０、好気濾床槽８３０、処理水槽８４０、消毒槽８５０で順次処理された後に、流出口８０４を通じて、排水処理装置８００の外部に放流される。以下、各水処理槽を流れる水を「被処理水」あるいは、単に「水」と呼ぶ。
【００２７】
図２は、排水処理装置８００の内部構成を模式的に表す説明図である。図２は、排水処理装置８００を横から見た概略構成を示している。図３は、排水処理装置８００を鉛直方向の上方から下方に向かって見た概略構成を示しており、図２中のＡ−Ａ断面を上方からから下方に向かって見た概略図である。図４は、図２中のＢ−Ｂ断面を、図２の右側から水平に見た概略図である。これらの図中において、Ｚ方向は、鉛直方向の下方から上方へ向かう方向を示し、Ｘ方向は、排水処理装置８００の長手方向（水平な方向）を示し、Ｙ方向は、Ｘ方向とＺ方向とのそれぞれと直交する方向（水平な方向）を示している。
【００２８】
沈殿分離槽８１０は、排水中の夾雑物を分離する水処理槽である。排水（汚水とも呼ばれる）は、流入口８０２から沈殿分離槽８１０に流入する。沈殿分離槽８１０は、バッフル８１２ａ、８１２ｂ等の固液分離手段を有しており、排水中の夾雑物（固形物）を被処理水から分離する。図２に示すように、バッフル８１２ａの外側の一部の領域には、濾材８１３が充填されている。この領域は、汚泥貯留部８１６に対応する。沈殿分離槽８１０の残りの領域（特に、バッフル８１２ａの内部の領域）は、沈殿分離部８１５に相当する。図示を省略するが、バッフル８１２ａの内部には、エアリフトポンプが設けられている。このエアリフトポンプは、図示しないブロワ（送風機）からの空気によって駆動され、常時、沈殿分離部８１５から汚泥貯留部８１６へ水を移送している。これにより、沈殿分離部８１５で分離された固形物は、汚泥貯留部８１６に移送される。また、図示を省略するが、汚泥貯留部８１６の濾材８１３の下部には、散気装置が設けられている。この散気装置は、上述したブロワ（図示せず）に接続され、ブロワからの空気を、常時、汚泥貯留部８１６の濾材８１３に供給する。濾材８１３には、好気性微生物が付着し、汚泥を好気的に消化する。
【００２９】
沈殿分離槽８１０の下流側（＋Ｘ側）には、仕切板８１９が設けられている。夾雑物が分離（除去）されたあとの水は、仕切板８１９の上部の空いた部分を通じて、嫌気濾床槽８２０に移流する。
【００３０】
嫌気濾床槽８２０は、嫌気性微生物による嫌気処理を行う水処理槽である。嫌気濾床槽８２０は、嫌気性微生物が付着するための濾材８２２を有している。嫌気処理によって、被処理水中の有機物が分解される。また、濾材８２２は、被処理水中の浮遊物を捕捉し得る。図３に示すように、嫌気濾床槽８２０の下流側（＋Ｘ側）には、仕切板８２９が設けられている。仕切板８２９には、下流側バッフル８２６が固定されている。処理された水は、濾材８２２の下部から下流側バッフル８２６と仕切板８２９とで囲まれた領域に移流する。
【００３１】
下流側バッフル８２６と仕切板８２９とで囲まれた領域には、移送エアリフトポンプ８２７が設けられている。移送エアリフトポンプ８２７は、下流側バッフル８２６の内部から、仕切板８２９の上部を貫通して、好気濾床槽８３０の接触曝気部８３１の上部へ至るように構成されている。移送エアリフトポンプ８２７の吸入口８２７ｉ（図２、図３）は、下流側バッフル８２６内に配置され、移送エアリフトポンプ８２７の吐出口８２７ｏ（図３）は、接触曝気部８３１の上部に配置されている。移送エアリフトポンプ８２７は、下流側バッフル８２６内の水を、接触曝気部８３１の上部に移送する。ただし、移送エアリフトポンプ８２７は、下流側バッフル８２６内の水を、生物濾過部８３２の上部に移送してもよい。一般には、移送エアリフトポンプ８２７は、嫌気濾床槽８２０での処理後の水を、好気濾床槽８３０の上部に移送してよい。ここで、移送エアリフトポンプ８２７の吐出口８２７ｏは、好気濾床槽８３０の水面よりも高い位置にあってよい。移送エアリフトポンプ８２７は、上述したブロワ（図示せず）からの空気によって、駆動される。
【００３２】
図５は、好気濾床槽８３０を斜め上方から見た斜視図である（図中では、槽本体８０１の図示が省略されている）。好気濾床槽８３０は、好気性微生物による好気処理を行う水処理槽である。図３、図５に示すように、仕切板８２９の下流側（＋Ｘ側）と槽本体８０１との間の空間は、２枚の中仕切板８３８、８３９によって、＋Ｙ側から−Ｙ側に向かって並ぶ３つの空間に仕切られている（図３〜図５）。３つの空間は、それぞれ、接触曝気部８３１、生物濾過部８３２、処理水槽８４０に対応する。接触曝気部８３１と生物濾過部８３２との全体は、好気濾床槽８３０に対応する。
【００３３】
図４に示すように、接触曝気部８３１は、好気性微生物が付着するための接触材８３４を有している。また、接触曝気部８３１は、接触材８３４よりも下に配置された散気装置８３５を有している。散気装置８３５には、上述したブロワ（図示せず）が接続される。散気装置８３５は、ブロワによって供給された空気を、接触曝気部８３１内に供給する。好気性微生物は、空気に含まれる酸素を利用して、被処理水中の有機物を分解する。
【００３４】
接触曝気部８３１で処理された水は、第１中仕切板８３８の上部の空いた部分を通じて、生物濾過部８３２に移流する（図３〜図５の矢印ＣＡ）。図４に示すように、生物濾過部８３２は、固形物（浮遊物質（ＳＳ）等）を補足するための濾過材８３６を有している。生物濾過部８３２の上部に流入した水は、濾過材８３６を通り抜けて生物濾過部８３２の下部に移動する。接触曝気部８３１と生物濾過部８３２とは、第１中仕切板８３８の下部で連通しており、濾過材８３６を通り抜けた水は、接触曝気部８３１の下部に移流する。このように、接触曝気部８３１と生物濾過部８３２との間で水が循環することによって、接触曝気部８３１と生物濾過部８３２とによる処理が繰り返される。また、生物濾過部８３２で処理された水は、第２中仕切板８３９の下部の空いた部分を通じて、処理水槽８４０に移流する。
【００３５】
なお、本実施例では、濾過材８３６として、比重が１よりも大きい粒状の担体を採用している。生物濾過部８３２の下部と上部とには、生物濾過部８３２からの担体の流出を防ぐために、ネットが配置されている。また、排水処理装置８００は、定期的に濾過材８３６の逆洗を行うための、濾過材８３６よりも下に配置された散気装置８３７（図４）と、生物濾過部８３２から沈殿分離槽８１０に水を移送する逆洗エアリフトポンプ（図示せず）とを有している。逆洗時には、散気装置からの空気によって担体が撹拌される。そして、担体によって捕捉されていた固形物は、逆洗エアリフトポンプによって、沈殿分離槽８１０に移送される。
【００３６】
処理水槽８４０は、好気濾床槽８３０から移流した水を一時的に滞留して、水中の固形物（例えば、汚泥や浮遊物質等）を沈降・分離する水処理槽である。処理水槽８４０において分離された固形物は、処理水槽８４０の底部に集められる。
【００３７】
図２に示すように、処理水槽８４０には、循環エアリフトポンプ８４９が設けられている。循環エアリフトポンプ８４９は、処理水槽８４０の底部から水を吸入して、吸入した水を、沈殿分離槽８１０に移送する。処理水槽８４０の底部に集められた固形物は、循環エアリフトポンプ８４９によって、沈殿分離槽８１０に移送される。なお、循環エアリフトポンプ８４９は、上述した図示しないブロワからの空気によって、駆動される。ブロワからの循環エアリフトポンプ８４９への空気の分配量は、図示しないバルブによって調整される。
【００３８】
図３、図４に示すように、第２中仕切板８３９の上部には、移流バッフル８４８が固定されている。そして、第２中仕切板８３９の、移流バッフル８４８で囲まれた部分に、移送パイプ９００が固定されている。後述するように、移送パイプ９００は、第２中仕切板８３９と、消毒槽８５０の壁とを貫通した状態で固定されている。処理水槽８４０で固形物が分離されたあとの水は、移送パイプ９００を通じて、消毒槽８５０に移流する。
【００３９】
消毒槽８５０は、被処理水を消毒する水処理槽である。図４、図５に示すように、消毒槽８５０は、生物濾過部８３２の上部に配置されている。消毒槽８５０は、有底の箱形状を有する槽本体８５１と、槽本体８５１の内部に配置された薬筒固定バッフル８５２とを有している。
【００４０】
図４に示すように、薬筒固定バッフル８５２は、水平に延びる流路と、その流路の一端から下方に向かって延びる流路とを形成する。水平に延びる流路の途中には、消毒剤（例えば、固形塩素剤）が充填された薬剤筒８５４を、倒れないように保持する保持部８５３が形成されている。薬筒固定バッフル８５２は、消毒槽８５０に流入した水を、薬剤筒８５４に導いて消毒剤に接触させる。そして、薬筒固定バッフル８５２は、消毒剤との接触によって消毒された水を、消毒槽８５０（槽本体８５１）の下部に導く。消毒された水は、流出口８０４を通じて、排水処理装置８００の外部へ放流される。
【００４１】
本実施例の排水処理装置８００は、処理水の水質を安定化させるために、流量調整機能を有している。具体的には、移送エアリフトポンプ８２７（図２、図３）は、継続的に、嫌気濾床槽８２０から好気濾床槽８３０に水を移送する。一方、図２、図３、図５に示すように、仕切板８２９の上部（すなわち、好気濾床槽８３０の上部）には、戻し堰８２８が設けられている。好気濾床槽８３０に移送された水量のうちの、循環エアリフトポンプ８４９による循環水量と、移送パイプ９００を通じて消毒槽８５０に移流する水量（排水処理装置８００から放流される水量と同じ）とを除いた余剰分の水は、戻し堰８２８を通じて、嫌気濾床槽８２０に戻る。これらにより、嫌気濾床槽８２０から好気濾床槽８３０へは、おおよそ一定量ずつ、水が継続的に移送される。
【００４２】
本実施例では、ブロワ（図示せず）からの、循環エアリフトポンプ８４９へ至る空気配管には、空気流量を調整するバルブ（図示せず）が設けられ、上述した散気装置と他のエアリフトポンプとに至る空気配管（例えば、移送エアリフトポンプ８２７へ至る空気配管と、散気装置８３５へ至る空気配管）のそれぞれにオリフィス（図示せず）が設けられている。これにより、上述した各散気装置と各エアリフトポンプ（例えば、循環エアリフトポンプ８４９と移送エアリフトポンプ８２７と散気装置８３５）とのそれぞれへの空気の分配量のバランスが、適正なバランスから大きくずれる可能性が低減される。循環水量（単位時間当たりの水量）が適切な量になるようにユーザがバルブ（図示せず）を調整すれば、結果的に、移送パイプ９００による移送量（放流水量）も、適正量に設定され得る。
【００４３】
排水処理装置８００への流入水量（単位時間当たりの水量）の変動が好気濾床槽８３０に影響を与えることは、沈殿分離槽８１０および嫌気濾床槽８２０の水位が変動することによって、抑制されている。移送エアリフトポンプ８２７の吸入口８２７ｉは、図２に示す低水位ＬＷＬの高さに配置されている。従って、沈殿分離槽８１０および嫌気濾床槽８２０の水位は、この低水位ＬＷＬまで下がり得る。さらに、この排水処理装置８００は、低水位ＬＷＬよりも高い高水位ＨＷＬまで水位が上昇してもオーバーフローが生じないように、構成されている。低水位ＬＷＬと高水位ＨＷＬとの間で水位が変動した場合であっても、循環エアリフトポンプ８４９による循環水量と、移送パイプ９００を通じて消毒槽８５０に移流する水量と、嫌気濾床槽８２０から好気濾床槽８３０に移送される水量（戻し堰８２８から戻される分を除いた実質の水量）と、のそれぞれ（単位時間当たりの水量）は、大きく変動せずに、おおよそ一定の量に維持される。この結果、好気濾床槽８３０は、安定な処理を継続することができる。
【００４４】
なお、戻し堰８２８は、堰の高さを変更可能な可動堰である。循環水量を適切に調整した状態で移送パイプ９００を流れる水量（移送量）が適切ではない場合には、ユーザは、戻し堰８２８の高さを調整することによって、移送量を調整することができる。具体的には、戻し堰８２８の高さを調整することによって、処理水槽８４０の水位、すなわち、移送パイプ９００を流れる水の水位を調整することができる。そして、水位が高いほど、移送パイプ９００を流れる水の単位時間当たりの量（すなわち、放流水量）が多くなる。本実施例では、ユーザが移送量を容易に確認できるようにするために、移送パイプ９００は、適切な水位を確認するための立体部分（立体的な構成）を有している。
【００４５】
図６（Ａ）は、移送パイプ９００の斜視図であり、図６（Ｂ）は、移送パイプ９００にねじ込まれるナット９９０の斜視図である。また、図７（Ａ）、７（Ｂ）、７（Ｃ）、７（Ｄ）は、それぞれ、移送パイプ９００平面図、背面図、断面図、正面図を示している。各図に示された方向（Ｘ、Ｙ、Ｚ方向）は、移送パイプ９００が排水処理装置８００に固定された状態での方向を、示している。後述する他の図においても、図示された方向は、移送パイプ９００が排水処理装置８００に固定された状態での方向を、示している。
【００４６】
移送パイプ９００は、流路９１１を形成する中空円筒状のパイプ部９１０と、パイプ部９１０の外周面に形成されたネジ部９１２と、パイプ部９１０の外周面に固定されたフランジ９１４と、パイプ部９１０の一方の端である第１端９１０ｅ１に固定された堰９３０と、を有している。ネジ部９１２は、パイプ部９１０の外周面を旋回するように形成された雄ネジである。図７（Ａ）に示すように、ネジ部９１２は、パイプ部９１０の一端から他端に至る領域の間の一部の領域ＰＡに形成されている。フランジ９１４は、パイプ部９１０の外周面の、ネジ部９１２の形成されていない部分に固定されている。本実施例では、フランジ９１４は、ネジ部９１２よりも、第１端９１０ｅ１に近い。
【００４７】
図６（Ｂ）に示すように、ナット９９０は、リング状の部材９９２で構成されており、その部材９９２の内周面には、ネジ部９９４が形成されている。ネジ部９９４は、リング状の部材９９２の内周面を旋回するように形成された雌ネジである。このナット９９０は、パイプ部９１０のネジ部９１２にねじ込まれる。これにより、フランジ９１４とナット９９０との間に、種々の部材を挟み込むことができる。
【００４８】
図８は、移送パイプ９００の組み付けを表す分解斜視図である。図９は、組み付けられた移送パイプ９００の近傍を示す断面図である。本実施例では、移送パイプ９００は、消毒槽８５０の薬筒固定バッフル８５２と、消毒槽８５０の槽本体８５１と、第２中仕切板８３９とを、この順番に貫通した状態で、固定される。具体的には、消毒槽８５０の槽本体８５１の穴８５１ｈと薬筒固定バッフル８５２の穴８５２ｈとが重なるように、槽本体８５１の内に薬筒固定バッフル８５２が配置される。さらに、それらの穴と、第２中仕切板８３９の穴８３９ｈとが重なるように、消毒槽８５０が第２中仕切板８３９のそばに配置される。移送パイプ９００が３つの穴８５２ｈ、８５１ｈ、８３９ｈを貫通した状態で、ナット９９０が移送パイプ９００に締め付けられる。ナット９９０の締め付けによって、薬筒固定バッフル８５２と槽本体８５１と第２中仕切板８３９とは、重なった状態で、フランジ９１４とナット９９０との間に挟み込まれる。そして、移送パイプ９００と、薬筒固定バッフル８５２と、消毒槽８５０の槽本体８５１と、第２中仕切板８３９とが、互いに固定される。なお、穴８５２ｈ、穴８５１ｈ、穴８３９ｈのそれぞれの上方には、穴８５２ｉ、穴８５１ｉ、凹部８３９ｉが設けられている。これらは、処理水槽８４０の水位が過度に上昇した場合に処理水槽８４０から消毒槽８５０へ水が流れるオーバーフロー開口を形成する。
【００４９】
図８、図９に示すように、本実施例では、フランジ９１４が消毒槽８５０に配置され、ナット９９０が処理水槽８４０側に配置される。パイプ部９１０の両端のうちの、堰９３０が形成された第１端９１０ｅ１は、消毒槽８５０（薬筒固定バッフル８５２）側に配置され、他方の第２端９１０ｅ２は、処理水槽８４０側に配置される。処理水槽８４０の上部の水は、第２端９１０ｅ２から移送パイプ９００に流入し、そして、第１端９１０ｅ１から消毒槽８５０（薬筒固定バッフル８５２）に落下する。
【００５０】
図６（Ａ）、図７、図９に示すように、第１端９１０ｅ１には堰９３０が形成されている。堰９３０は、パイプ部９１０（流路９１１）と交差する板状部であり、流路９１１の下方の一部分を堰き止めている。また、堰９３０は、堰９３０の上端面９３６（第１面９３６とも呼ぶ）から流路９１１の底部（パイプ部９１０の内壁）に至る切欠９３３を有している。図７（Ｄ）に示すように、切欠９３３の形状は、鉛直方向（Ｚ方向）に延びる略長方形である。パイプ部９１０に流入した水は、この切欠９３３から流出する。
【００５１】
また、図６（Ａ）、７（Ｃ）、７（Ｄ）に示すように、堰９３０は、上端面９３６（以下、「第１面９３６」とも呼ぶ）を有する第１段部９３１と、上端面９３６よりも低い位置にある上面９３７（以下、「第２面９３７」とも呼ぶ）を有する第２段部９３４とを有している。第２段部９３４は、第１段部９３１よりも下流側に形成されている。堰９３０は、低い位置での厚さ（流路９１１の延びる方向（ここでは、Ｙ方向）の厚さ）が高い位置での厚さよりも厚い段差形状を有している。堰９３０の上流側の面は、平面であり、堰９３０の下流側の面は、第２面９３７よりも低い部分が堰９３０の外側（移送パイプ９００から離れる側）に突出する段差形状を形成している。切欠９３３は、第１面９３６から始まり、第２面９３７よりも低い位置まで到達している。以下、第１面９３６と第２面９３７との全体を、基準部９３８とも呼ぶ。
【００５２】
図５には、堰９３０を通って、移送パイプ９００から消毒槽８５０に水が移流する様子が、拡大して示されている。図示するように、切欠９３３を流れる水の近傍に、第１面９３６と第２面９３７とが配置されている。その結果、ユーザは、切欠９３３を流れる水の水面を、それらの面９３６、９３７と容易に比較することができる。また、本実施例では、切欠９３３を流れる水の単位時間当たりの移送量が適正範囲にある場合に、切欠９３３を流れる水の水位が第１面９３６から第２面９３７までの範囲内となるように、それらの面９３６、９３７の高さが予め設定されている。従って、ユーザは、水位がそれらの面９３６、９３７の間にあれば、移送量が適正であると確認できる。水面が第２面９３７よりも低い場合、あるいは、水面が第１面９３６よりも高い場合には、ユーザは、戻し堰８２８を調整することによって、移送量を調整すればよい。この際、ユーザは、水面がそれらの面９３６、９３７の間に収まるように、戻し堰８２８を調整すればよい。
【００５３】
また、本実施例では、第２面９３７は、堰９３０の下流側に配置されているので、実際の水位が第２面９３７よりも高い場合であっても、水位が第１面９３６よりも低ければ、第２面９３７は水没しない。その結果、ユーザは、実際の水位が第２面９３７よりも高い場合であっても、水位の適正な範囲と、実際の水位とを、容易に比較することができる。
【００５４】
以上のように、本実施例では、移送パイプ９００（図６）がネジ部９１２とフランジ９１４とを有しているので、フランジ９１４とナット９９０との間に他の部材（ここでは、薬筒固定バッフル８５２（図９）と、槽本体８５１と、第２中仕切板８３９）を挟みこむことによって、移送パイプ９００と他の部材とを容易に互いに固定することができる。この結果、移送パイプ９００の固定に要するスペースを低減できる。さらに、この移送パイプ９００を通じて液体の移送を容易に行うこともできる。さらに、移送パイプ９００は、流路９１１を流れる水の水位の高さの基準を示す基準部９３８（第１面９３６および第２面９３７）を有している。その結果、計量樋といった計量装置を設けることなく、ユーザは、移送パイプ９００を流れる水の単位時間当たりの量を容易に確認することができる。これらの結果、水の移送と移送量の確認とを行うための構成の配置に要するスペースを低減できる。そして、図５に示すように、狭い場所に移送パイプ９００を設けることができる。
【００５５】
また、図６に示すように、本実施例では、移送パイプ９００は、パイプ部９１０に形成された堰９３０を有している。そして、この堰９３０は、堰９３０の一方側から他方側へ水が流れる開いた部分である切欠９３３を有している。従って、適切な移送量が少ない場合であっても（例えば、１Ｌ／ｍｉｎ程度）、移送量の変化に対する水面の高さの変化を大きくすることができるので、ユーザは、移送量が適切であるか否かの確認を容易に行うことができる。
【００５６】
また、図６に示すように、本実施例では、基準部９３８は、水位の基準を示す立体部分（第１面９３６と第２面９３７）である。この結果、基準部９３８に対する微生物膜等の付着によって基準が分からなくなる可能性を大幅に低減できる。
【００５７】
また、図７（Ｃ）に示すように、基準部９３８（第１面９３６、第２面９３７）は、パイプ部９１０の端部（第１端９１０ｅ１）に設けられている。そして、その端部９１０ｅ１の基準部９３８よりも上側の部分ＰＵは、基準部９３８（第１面９３６、第２面９３７）の上方を覆わないように、基準部９３８よりも手前で終わっている。すなわち、基準部９３８は、パイプ部９１０の端部９１０ｅ１の基準部９３８よりも上側の部分ＰＵと比べて、水平方向に沿ってパイプ部９１０から離れる方向に突出した位置に形成されている（本実施例では、基準部９３８は、パイプ部９１０の延びる方向（ここでは、Ｙ方向）に向かって突出した位置に形成されている）。その結果、ユーザは、移送パイプ９００を上方から観察することによって、基準部９３８を容易に観察することができる。例えば、排水処理装置８００が地中深くに埋設されており、マンホール開口から移送パイプ９００までの距離が遠い場合であっても、ユーザは、容易に、基準部９３８と水面とを確認することができる（図５）。このように、移送パイプ９００を、横から観察することが困難であるような狭い場所に配置することができるので、水の移送と移送量の確認とを行うための構成の配置に要するスペースを低減できる。
【００５８】
また、図６、図７（Ｃ）に示すように、堰９３０は、流路９１１と交差する板状部であるので、堰９３０の設置に要するスペースが過大となることを避けることができる。
【００５９】
また、図６（Ａ）、図７（Ｃ）に示すように、基準部９３８は、第１面９３６と、第１面９３６よりも低い位置に形成された第２面９３７とを含んでいる。この結果、第１面９３６から第２面９３７までの範囲を適正範囲として利用することができるので、ユーザは、水位が適正範囲内にあることを確認することによって、移送量が適正範囲内にあることを、容易に判断することができる。
【００６０】
また、図６（Ａ）、図７（Ｃ）に示すように、堰９３０は、流路９１１の下方の一部分を堰き止める。すなわち、堰９３０の上端面９３６は、流路９１１の上端９１６よりも低い位置にある。この結果、堰９３０の上端面９３６を、水位の基準として利用することができる。さらに、堰９３０は、上端面９３６を有する第１段部９３１と、上端面９３６よりも低い位置にある上面９３７を有する第２段部９３４とを有している。この結果、第２段部９３４の上面９３７を、水位の基準として利用することができる。このように、堰９３０を階段状に形成するだけで、第１面９３６と第２面９３７とを形成することができる。従って、基準部９３８（高さの異なる２つの面９３６、９３７）を有する堰９３０の大きさが過剰に大きくなることを回避できる。
【００６１】
また、図８、図９に示すように、移送パイプ９００と、処理水槽８４０の壁である第２中仕切板８３９と、消毒槽８５０の壁である槽本体８５１とは、第２中仕切板８３９と槽本体８５１とをフランジ９１４とナット９９０とによって挟み込むことによって、互いに固定されている。その結果、移送パイプ９００によって、処理水槽８４０から消毒槽８５０に水を容易に移送することができ、水の移送量を容易に確認することができる。また、移送パイプ９００と消毒槽８５０と処理水槽８４０とを、より具体的には、移送パイプ９００と、第２中仕切板８３９と、消毒槽８５０の槽本体８５１および薬筒固定バッフル８５２とを、適切に互いに固定することができる。
【００６２】
Ｂ．変形例：
なお、上記各実施例における構成要素の中の、独立クレームでクレームされた要素以外の要素は、付加的な要素であり、適宜省略可能である。また、この発明は上記の実施例や実施形態に限られるものではなく、その要旨を逸脱しない範囲において種々の態様において実施することが可能であり、例えば次のような変形も可能である。
【００６３】
変形例１：
上記各実施例において、水位の高さの基準を示す立体部分（基準部）としては、ユーザが観察によって水位の高さの基準を特定することが可能な任意の立体形状を採用可能である。例えば、立体部分は、水位の高さの基準を示す面および辺の少なくとも一方を含む立体的な形状であってよい。このように、水位の高さの基準を示す立体形状を採用すれば、水位の基準を示す着色ラインを採用する場合と比べて、微生物膜等の付着によって基準が分からなくなる可能性を大幅に低減できる。ただし、基準部は、立体部分でなくてもよい。例えば、基準部は、面上（平面でも曲面でもよい）に描かれた印であってもよい。
【００６４】
図１０は、移送パイプの別の実施例（移送パイプ９００Ａ）を示す斜視図である。図６に示す移送パイプ９００との差異は、第２段部９３４の代わりに基準板９３４Ａが設けられている点だけである。他の構成は、図６の移送パイプ９００の構成と同じである。基準板９３４Ａは、図６の第２段部９３４と同じ第２面９３７を有している。基準板９３４Ａより上の部分の堰９３０Ａの厚さは、基準板９３４Ａより下の部分の堰９３０Ａの厚さと、同じである。
【００６５】
図１１は、移送パイプの別の実施例（移送パイプ９００Ｂ）を示す斜視図である。図６に示す移送パイプ９００との差異は、第２段部９３４の代わりに傾斜面９３４Ｂが設けられている点だけである。他の構成は、図６の移送パイプ９００の構成と同じである。傾斜面９３４Ｂは、低い位置ほど堰９３０Ｂの厚さが厚くなるように、堰９３０Ｂの上端面９３６から斜め下方向に傾斜している。この傾斜面９３４Ｂの下端は、パイプ部９１０の端面９１９と交差する辺９３７Ｂを形成する。この辺９３７Ｂは、図６の第２面９３７と同じ高さに形成されている。ユーザは、水位が辺９３７Ｂと上端面９３６との間にあれば、移送量が適切であると判断できる。すなわち、ユーザは、水位が傾斜面９３４Ｂと交差していることを確認すればよい。なお、この実施例では、上端面９３６と辺９３７Ｂとの全体が、基準部９３８Ｂに対応する。
【００６６】
図１２は、移送パイプの別の実施例（移送パイプ９００Ｃ）を示す斜視図である。図６に示す移送パイプ９００との差異は、第２段部９３４が省略され、その代わりに、第２壁９３４Ｃが設けられている点だけである。この実施例では、堰９３０Ｃの厚さは、高さに拘わらずに、一定である。そして、堰９３０Ｃの下流側に、第２壁９３４Ｃが配置されている。この第２壁９３４Ｃの形状は、三角柱を横に寝かせた形状と同じであり、高い位置ほど厚さが薄い。この第２壁９３４Ｃの最も高い部分は、辺９３７Ｃを形成している。この辺９３７Ｃは、図６の第２面９３７と同じ高さに形成されている。ユーザは、水位が辺９３７Ｃと上端面９３６との間にあれば、移送量が適切であると判断できる。なお、この実施例では、上端面９３６と辺９３７Ｃとの全体が、基準部９３８Ｃに対応する。
【００６７】
図１３は、移送パイプの別の実施例（移送パイプ９００Ｄ）を示す斜視図である。図６に示す移送パイプ９００との差異は、堰９３０の代わりに、堰９３０Ｄと、Ｖ字流路９３９Ｄと、２本の線９３６Ｄ、９３７Ｄと、が設けられている点だけである。堰９３０Ｄは、図６の堰９３０と同様に、パイプ部９１０の第１端９１０ｅ１に設けられている。ただし、切欠９３３Ｄは、Ｖ字状である。このＶ字状の切欠９３３Ｄの内面を下流側（＋Ｙ側）に延長するように、Ｖ字状のＶ字流路９３９Ｄが形成されている。このＶ字流路９３９Ｄの内面には、水平な２本の線９３６Ｄ、９３７Ｄが記されている。第１線９３６Ｄは、図６の第１面９３６と同じ高さに記されている。第２線９３７Ｄは、図６の第２面９３７と同じ高さに記されている。ユーザは、上方から、水位と、これらの線９３６Ｄ、９３７Ｄとを観察することができる。また、ユーザは、Ｖ字流路９３９Ｄを流れる水の水位が、第１線９３６Ｄと第２線９３７Ｄとの間にあれば、移送量が適切であると判断できる。なお、この実施例では、第１線９３６Ｄと第２線９３７Ｄとの全体が、基準部９３８Ｄに対応する。このように、基準部は、立体部分ではなく、面上に描かれた印であってもよい。また、パイプ部９１０とＶ字流路９３９Ｄとの全体が、パイプ部に対応する。
【００６８】
図１４は、移送パイプの別の実施例（移送パイプ９００Ｅ）を示す斜視図である。図６に示す移送パイプ９００との差異は、堰９３０が省略されて、パイプ部９１０の第１端９１０ｅ１が、上端から斜め下方向に向かって斜めに切り落とされた形状を有しており、パイプ部９１０の内面に２本の線９３６Ｅ、９３７Ｅが記されている点だけである。具体的には、第１端９１０ｅ１において、低い位置ほど、＋Ｙ方向の突出の度合いが大きい。また、流路９１１の第１端９１０ｅ１の内面には、水平な２本の線９３６Ｅ、９３７Ｅが記されている。第１線９３６Ｅは、図６の第１面９３６と同じ高さに記されている。第２線９３７Ｅは、図６の第２面９３７と同じ高さに記されている。ユーザは、上方から、水位と、これらの線９３６Ｅ、９３７Ｅとを観察することができる。また、ユーザは、流路９１１の第１端９１０ｅ１から流出する水の水位が、第１線９３６Ｅと第２線９３７Ｅとの間にあれば、移送量が適切であると判断できる。なお、この実施例では、第１線９３６Ｅと第２線９３７Ｅとの全体が、基準部９３８Ｅに対応する。このように、基準部は、立体部分ではなく、面上に描かれた印であってもよい。また、この実施例のように堰を省略してもよい。
【００６９】
図１５は、移送パイプの別の実施例（移送パイプ９００Ｆ）を示す斜視図である。図６に示す移送パイプ９００との差異は、第２段部９３４が省略され、その代わりに、線９３７Ｆが設けられている点だけである。この実施例では、堰９３０Ｆの厚さは、高さに拘わらずに、一定である。そして、堰９３０Ｆの下流側（＋Ｙ側）の面に、水平な線９３７Ｆが記されている。この線９３７Ｆは、図６の第２面９３７と同じ高さに記されている。ユーザは、上方から−Ｙ側を向いた斜め下方向に向かって観察することによって、水位と上端面９３６と線９３７Ｆとを観察することができる。また、ユーザは、水位が、線９３７Ｆと上端面９３６との間にあれば、移送量が適切であると判断できる。なお、この実施例では、上端面９３６と線９３７Ｆとの全体が、基準部９３８Ｆに対応する。このように、基準部は、立体部分（例えば、上端面９３６）と、立体部分ではない部分（例えば、線９３７Ｆ等の面上に描かれた印）との両方を含んでもよい。
【００７０】
基準部の構成としては、上述した各実施例の構成に限らず、他の種々の構成を採用可能である。例えば、一部、あるいは、全部の基準部が、堰よりも上流側に配置されていてもよい。また、第１の基準部と第２の基準部との一方、あるいは、両方が、堰から離れた位置に形成されていてもよい。なお、基準部は、水位の基準を示す立体部分を含むことが好ましい。また、基準部は、そのような立体部分のみで構成されていてもよい。
【００７１】
なお、図６に示すように堰９３０に第１段部９３１と第２段部９３４とを設ける構成を採用すれば、樹脂を用いた移送パイプ９００の成形に利用される成形型の形状が複雑化することを避けることができる。さらに、移送パイプ９００を一体成形によって製造することもできる。このように、製造を容易に行うという観点からは、堰に第１段部と第２段部とを設ける構成が好ましい。
【００７２】
いずれの場合も、第１基準部と第２基準部とは、上方から見た場合に、少なくとも一部が互いに重ならないように配置されていることが好ましい。そして、基準部は、パイプ部や堰の流出部を流れる水の水面と接し得る位置に形成されていることが好ましい。こうすれば、ユーザは、水面と基準部と間の高さの差を容易に確認することができる。また、基準部の総数は、２に限らず、３以上であってもよい。また、基準部が１つであってもよい。この場合には、ユーザは、実際の水位が、１つの基準部によって示される基準水位に近い場合に、移送量が適切であると判断すればよい。また、基準部は、水位の種々の基準を示すものであってよい。例えば、基準部は、適切な水位の上限あるいは下限を示すものであってよく、また、最も好ましい水位を示すものであってもよい。いずれの場合も、堰の流出部は、各基準部を包含する高さ範囲に亘って開いていることが好ましい。こうすれば、流出部を流れる水の水位と、基準部とを比較することによって、容易に移送量を確認することができる。
【００７３】
変形例２：
上記各実施例において、移送パイプの構成としては、図６や図１０〜図１５に示した構成に限らず、他の種々の構成を採用可能である。例えば、堰が、移送パイプの上流側の端部に形成されていてもよい。また、フランジ９１４がネジ部９１２よりも上流側に配置されていてもよい。また、堰に設けられた流出部は、図６に示すような切欠９３３に限らず、堰に設けられた穴であってもよい。いずれの場合も、移送パイプによって形成される流路の一部を堰によって堰き止めて、流出部を通じて水を堰の一方側（上流側）から他方側（下流側）へ移送することが好ましい。こうすれば、適切な移送量が少ない場合であっても（例えば、１Ｌ／ｍｉｎ程度）、移送量の変化に対する水面の高さの変化を大きくすることができるので、ユーザは、移送量が適切であるか否かの確認を容易に行うことができる。ただし、堰を省略してもよい。また、移送パイプの流路の断面形状は、円に限らず、任意の形状（例えば、矩形）であってよい。また、堰は、板状部に限らず、他の任意の形状の部材であってよい。
【００７４】
また、移送パイプの両端のうちの少なくとも一方の端が、他のパイプを受け入れる継手部材（例えば、ソケット）の端と同様の端形状を有していても良い。図７（Ｃ）の移送パイプ９００では、第２端９１０ｅ２が、継手部材と同様の端形状を有している。ただし、端の形状が、そのような形状でなくてもよい。
【００７５】
変形例３：
上記各実施例において、パイプの端部の基準部よりも上側の部分（例えば、図７（Ｃ）の部分ＰＵ）の一部が、基準部（例えば、図７（Ｃ）の基準部９３８）の上方まで突出して、基準部を覆っていてもよい。この場合も、ユーザは、移送パイプの端部の突出していない部分を利用して、上方（あるいは、斜め上方）から基準部と水面とを観察すればよい。また、基準部が、移送パイプの端部よりも内側に形成されていてもよい。この場合は、斜め上方から移送パイプの内側を覗くことによって、基準部と水面とを観察できるように、基準部を構成すればよい。
【００７６】
変形例４：
上記各実施例において、移送パイプの上下方向を正しい方向に合わせるために、治具を嵌める嵌合部を移送パイプに設けてもよい。例えば、図７（Ａ）、７（Ｃ）に示す移送パイプ９００には、パイプ部９１０の第２端９１０ｅ２に凹部９１７、９１８が形成されている。図８に示すように移送パイプ９００を組み付ける際には、鉛直方向に延びる棒状の治具を、凹部９１７、９１８に嵌合させることによって、移送パイプ９００の上下方向を正しい方向に合わせることができる。なお、このような嵌合部の形状は、凹部に限らず、凸部や穴等の他の任意の形状であってよい。また、このような嵌合部を省略してもよい。
【００７７】
変形例５：
上記各実施例の移送パイプ９００、９００Ａ、９００Ｂ、９００Ｃは、図１〜図４に示す排水処理装置８００に限らず、他の任意の排水処理装置に適用可能である。例えば、好気処理槽は、接触曝気部を有する処理槽に限らず、他の任意の好気処理槽（例えば、微生物が付着した担体が流動する担体流動槽や、膜を利用する膜処理槽）であってよい。また、好気処理槽よりも前段の処理槽は、嫌気濾床槽や沈殿分離槽に限らず、他の任意の処理槽（例えば、夾雑物除去槽）であってよい。また、処理フローは、図１に示すフローに限らず、他の任意のフローであってよい。例えば、流量調整機能を有さない処理フローを採用してもよい。また、原水が流入する第１処理槽（例えば、夾雑物除去槽）から、原水の一部を第２処理槽（例えば、担体流動槽）に移送し、第２処理槽で処理された水を再び第１処理槽に戻す工程を含む処理フローを採用してもよい。
【００７８】
いずれの場合も、消毒槽への水の移送流路に移送パイプを採用してよい。消毒槽への移送量を確認できれば、放流水量が適切であるか否かを確認できるので、排水処理装置の状態を容易に確認することができる。排水処理装置８００が流量調整機能を有しており、流量調整機能によって、おおよそ一定量ずつ、水が継続的に消毒槽へ移送される場合には、消毒槽への移送量を確認することが、処理水の水質の安定化の観点から、特に好ましい。なお、流量調整機能を実現する構成としては、図２〜図４に示す構成に限らず、他の種々の構成を採用可能である。また、消毒槽は、他の処理槽と比べて容量が小さく、さらに、薬剤筒等の種々の部材が配置されるので、消毒槽内には、継手部材と計量樋との組み合わせ等の大きな部材を配置することが困難である場合が多い。そこで、上述の各実施例のような移送パイプを採用すれば、排水処理装置を大きくせずに、消毒槽への移送量を確認することができる。
【００７９】
また、移送パイプは、消毒槽への移送流路に限らず、単位時間当たりの移送量の確認を要する任意の箇所に配置されてよい。例えば、上述の第２処理槽から第１処理槽への移送流路として、移送パイプを採用してもよい。また、移送パイプによって移送される液体は、排水処理装置に設けられた処理槽を流れる水に限らず、任意の液体であってよい。例えば、排水処理装置の処理槽に、水処理のための液体を添加する場合に（例えば、メタノール等の栄養源や、凝集剤を添加する場合に）、その液体の移送流路として移送パイプを利用してもよい。また、移送パイプのフランジと、ナットとによって挟まれる部材の総数は、３に限らず、任意の複数であってよい。こうすれば、移送パイプと複数の部材との互いの固定を容易に行うことができる。ただし、フランジとナットとによって挟まれる部材の総数が１であってもよい。いずれの場合も、移送パイプを、１あるいは複数の壁を貫通させて、それらの壁をフランジとナットとによって挟み込めば、移送パイプとそれらの壁とを互いに固定することが容易である。また、フランジとナットとによって挟まれる部材は、処理槽の壁に限らず、排水処理装置で利用される任意の部材であってよい（例えば、移送パイプ９００の固定用のプレートであってもよい。
【符号の説明】
【００８０】
８００...排水処理装置
８０１...槽本体
８０２...流入口
８０４...流出口
８１０...沈殿分離槽
８１２ａ...バッフル
８１９...仕切板
８２０...嫌気濾床槽
８２２...濾材
８２６...下流側バッフル
８２７...移送エアリフトポンプ
８２７ｉ...吸入口
８２８...戻し堰
８２９...仕切板
８３０...好気濾床槽
８３１...接触曝気部
８３２...生物濾過部
８３４...接触材
８３５...散気装置
８３６...濾過材
８３７...散気装置
８３８...第１中仕切板
８３９...第２中仕切板
８３９ｈ...穴
８３９ｉ...凹部
８４０...処理水槽
８４８...移流バッフル
８４９...循環エアリフトポンプ
８５０...消毒槽
８５１...槽本体
８５１ｈ...穴
８５１ｉ...穴
８５２...薬筒固定バッフル
８５２ｈ...穴
８５２ｉ...穴
８５３...保持部
８５４...薬剤筒
９００、９００Ａ、９００Ｂ、９００Ｃ...移送パイプ
９１０...パイプ
９１１...流路
９１２...ネジ部
９１４...フランジ
９１６...上端
９１７、９１８...凹部
９１９...端面
９３０、９３０Ａ、９３０Ｂ、９３０Ｃ、９３０Ｄ、９３０Ｅ、９３０Ｆ...堰
９３１...第１段部
９３３、９３３Ｄ...切欠
９３４...第２段部
９３４Ａ...基準板
９３４Ｂ...傾斜部
９３４Ｃ...第２壁
９３６...上端面
９３６...第１面
９３７...第２面
９３７Ｂ...辺
９３７Ｃ...辺
９３８、９３８Ｂ、９３８Ｃ、９３８Ｄ、９３８Ｅ、９３８Ｆ...基準部
９３９Ｄ...Ｖ字流路
９９０...ナット
９９２...リング状の部材
９９４...ネジ部
９１０ｅ１...第１端
９１０ｅ２...第２端
ＣＡ...矢印
ＰＡ...領域
ＰＵ...上側の部分
ＬＷＬ...低水位
ＨＷＬ...高水位
【図１】
0005688580.tif 000002
【図２】
0005688580.tif 000003
【図３】
0005688580.tif 000004
【図４】
0005688580.tif 000005
【図５】
0005688580.tif 000006
【図６】
0005688580.tif 000007
【図７】
0005688580.tif 000008
【図８】
0005688580.tif 000009
【図９】
0005688580.tif 000010
【図１０】
0005688580.tif 000011
【図１１】
0005688580.tif 000012
【図１２】
0005688580.tif 000013
【図１３】
0005688580.tif 000014
【図１４】
0005688580.tif 000015
【図１５】
0005688580.tif 000016